(57)【特許請求の範囲】
【請求項１】
店舗が依頼する広告情報を前記店舗毎に識別番号を付与して一括管理する広告提供者設備と、移動体を誘導するナビゲーション端末装置とからなる広告情報提供システムであって、前記広告提供者設備は、前記広告情報をユーザに提供する提供手段と、前記ナビゲーション端末装置から送出される信号を受信する受信手段と、を含み、前記ナビゲーション端末装置は、前記広告情報を入力する入力手段と、前記広告情報に基いて前記店舗へと移動体を誘導する誘導手段と、前記店舗を含む所定範囲内に到達した際に、前記広告提供者設備に到着告知信号を送出する送出手段と、を含むことを特徴とする広告情報提供システム。
【請求項２】
前記広告情報内の識別番号には、前記店舗の地理的位置情報が含まれていることを特徴とする請求項1に記載の広告情報提供システム。
【請求項３】
前記ナビゲーション端末装置は、前記広告情報内から地理的位置情報を抽出する抽出手段をさらに備え、前記誘導手段は、前記抽出手段が抽出した地理的位置情報に基いて移動体の誘導を行なうことを特徴とする請求項２に記載の広告情報提供システム。
【請求項４】
前記広告情報内の識別番号は、前記広告提供者毎に付与されたコード番号が含まれていることを特徴とする請求項１に記載の広告情報提供システム。
【請求項５】
前記ナビゲーション端末装置は、前記識別情報内からコード番号を抽出する抽出手段をさらに備え、前記送出手段は、前記抽出されたコード番号に基いて当該コード番号に基く広告提供者設備に対して、到着告知信号を送出することを特徴とする請求項４に記載の広告情報提供システム。
【請求項６】
前記広告提供者設備が備える提供手段は、紙媒体による提供であることを特徴とする請求項１に記載の広告情報提供システム。
【請求項７】
前記広告提供者設備が備える提供手段は、前記広告情報を収録した広告情報端末であることを特徴とする請求項1に記載の広告情報提供システム。
【請求項８】
前記広告情報を入力可能な携帯情報端末装置をさらに備え、前記携帯情報端末装置は、前記広告情報端末から前記広告情報を取得する取得手段と、前記ナビゲーション端末装置に対して前記広告情報を送信する送信手段と、を含むことを特徴とする請求項７に記載の広告情報提供システム。
【請求項９】
前記店舗が管理する店舗設備をさらに備え、前記店舗設備は、電子決済手段と、送信手段とを含み、前記携帯情報端末装置は、電子決済手段を含み、前記店舗設備が有する電子決済手段と前記携帯情報端末が有する電子決済手段とが電子決済を行った際に、前記店舗設備もしくは前記携帯情報端末装置の各送信手段より、前記広告提供者設備に対して購入告知信号が送出されることを特徴とする請求項８に記載の広告情報提供システム。
【請求項１０】
前記店舗が管理する店舗設備をさらに備え、前記広告事業者設備は、協力金請求手段を含み、前記店舗設備は、課金処理手段を含み、前記広告提供者設備は、前記到着告知信号を受信した際に、前記店舗に対して協力金の請求を行い、前記店舗設備は、前記協力金の請求に伴い、課金処理を行うことを特徴とする請求項１に記載の広告情報提供システム。
【請求項１１】
店舗が依頼する広告情報を前記店舗毎に識別番号を付与して一括管理する広告提供者設備によって発行された前記広告情報に基いて、移動体を誘導するナビゲーション端末装置であって、前記広告情報を入力する入力手段と、前記広告情報に基いて前記店舗へと移動体を誘導する誘導手段と、前記店舗を含む所定範囲内に到達した際に、前記広告提供者設備に到着告知信号を送出する送出手段と、を備えたことを特徴とするナビゲーション端末装置。
【請求項１２】
前記入力手段は、前記広告情報内に付与されている前記識別番号のみを入力可能とされていることを特徴とする請求項１１に記載のナビゲーション端末装置。
【請求項１３】
前記識別番号内から地理的位置情報を抽出する抽出手段をさらに備え、前記誘導手段は、前記識別番号内の地理的位置情報に基いて移動体の誘導を行なうことを特徴とする請求項１２に記載のナビゲーション端末装置。
【請求項１４】
前記広告情報内から地理的位置情報を抽出する抽出手段をさらに備え、
前記誘導手段は、前記識別番号内の地理的位置情報に基いて移動体の誘導を行なうことを特徴とする請求項１２に記載のナビゲーション端末装置。
【請求項１５】
店舗が依頼する広告情報を前記店舗毎に識別番号を付与して一括管理する広告提供者設備によって発行された前記広告情報内の識別情報に基いて前記店舗へと移動体を誘導する誘導工程と、前記店舗を含む所定範囲内に到達した際に、前記広告提供者設備に到着告知信号を送出する送出工程と、をナビゲーション端末装置に実行させるプログラムを格納した記録媒体。
【請求項１６】
前記送出工程によって前記到着告知信号を送出した際に当該プログラムを終了する終了工程とをさらに備えたことを特徴とする請求項１５に記載の記録媒体。
【請求項１７】
店舗が依頼する広告情報を前記店舗毎に識別番号を付与して一括管理する広告提供者設備と、所定の地域毎に基地局を配置した通信事業者設備と、前記通信事業者設備を管理する通信事業者と所定の契約を施している携帯情報端末装置と、からなる広告情報提供システムであって、前記広告提供者設備は、前記広告情報をユーザに提供する提供手段と、前記通信事業者設備から送出される信号を受信する受信手段と、を含み、前記通信事業者は、前記携帯情報端末装置の現在位置を監視する監視手段と、前記携帯情報端末装置からの信号を受信する受信手段と、前記携帯情報端末装置が前記店舗を含む所定範囲内に到達した際に、前記広告提供者設備に到着告知信号を送出する送出手段とを含み、前記携帯情報端末装置は、前記広告情報を入力する入力手段と、前記通信事業者設備に前記広告情報を送信する送信手段と、を含むことを特徴とする広告情報提供システム。
【請求項１８】
前記広告情報内の識別番号は、店舗の地理的位買情報を含むことを特徴とする請求項１７に記載の広告情報提供システム。
【請求項１９】
前記広告情報内の識別番号は、広告提供者毎に付与されたコード番号を含むことを特徴とする請求項１７に記載の広告情報提供システム。
【請求項２０】
前記携帯情報端末装置は、前記入力手段より前記広告情報が入力された際に、前記送信手段にて、前記通信事業者に対して、少なくとも前記広告情報内の識別番号を送出することを特徴とする請求項１７に記載の広告情報提供システム。
【請求項２１】
前記通信事業者設備は、前記携帯情報端末装置より送信される広告情報内から地理的位置情報を抽出する抽出手段と、前記抽出手段により抽出された地理的位置情報と、前記監視手段により監視される前記携帯情報端末装置の地理的位置情報とを比較する比較手段と、をさらに含み、前記送出手段は、前記比較手段により、前記携帯情報端末装置が前記店舗を含む所定範囲内に到達したことが検出された際に、前記広告提供者設備に到着告知信号を送出することを特徴とする請求項１７に記載の広告情報提供システム。
【請求項２２】
前記通信事業者設備は、前記携帯情報端末装置からの前記識別番号を受信した際に、前記比較手段を起動させることを特徴とする請求項２１に記載の広告情報提供システム。
【請求項２３】
前記通信事業者設備は、前記送信手段にて到着告知信号を送信した際に、前記監視手段による監視を終了することを特徴とする請求項１７に記載の広告情報提供システム。
【発明の詳細な説明】
【０００１】
【発明の属する技術分野】
本発明は、店舗、広告提供者並びにユーザが所有する情報端末とからなる広告情報提供システムに関する。
【０００２】
【従来の技術】
一般店舗、あるいは観光施設では、地図情報誌を発行する発行元に対して所定の掲載料を支払うことによって自分の店舗あるいは観光施設の広告を掲載することが行われる。このことによって相当の集客効果を得ている。
【０００３】
一方、一般ユーザは、この地図情報誌を購入し、自分の行きたい店舗や観光施設があれば、例えば所有するナビゲーション装置に目的地設定を行い、目的とする店舗あるいは観光施設に出向くことができる。最近、ナビゲーション装置の性能向上は目覚しく、車載用の他に、携帯用のナビゲーション装置が出現するに至った。
【０００４】
【発明が解決しようとする課題】
ところが、店舗や観光施設では、比較的高い掲載料を支払って広告を掲載しているにもかかわらず、ユーザがその広告を見て入店あるいは観光しているか否かを知ることはできず、従って、広告に対する集客効果を知る手段がない。
【０００５】
また、ユーザはナビゲーション装置を用いて目的地を設定するが、現在のところ、表示画面に出現する地図上に直接ポインティングするか、住所、あるいは電話番号を設定することによってナビゲーションするタイプがほとんどであり、入力操作が煩わしいといった欠点を有していた。更に、出版、あるいは広告事業者にしても掲載料を高く設定して儲けたいが、ユーザに対する購買力を高めるためには情報誌自体の価格を下げる必要があった。
【０００６】
本発明は上記事情に鑑みてなされたものであり、広告事業者が発行する情報源を元にユーザがその情報先の店舗に出向いたときに、店舗側から広告事業者に協力金が支払われる仕組みを構築することにより、店舗サイドでは広告効果を知ることができ、また、広告事業者サイドでは事業運営のための原資を得ることができ、更にユーザはナビゲーション操作の煩わしさから開放された、広告情報提供システムを提供することを目的とする。
【０００７】
また、店舗で商品を購入した場合にも店舗から広告事業者に対して謝礼が支払われ、電子商取引ともリンクした、広告情報提供システムを提供することも目的とする。
【０００８】
【課題を解決するための手段】
上記した課題を解決するために請求項１に記載の発明は、店舗が依頼する広告情報を前記店舗毎に識別番号を付与して一括管理する広告提供者設備と、移動体を誘導するナビゲーション端末装置とからなる広告情報提供システムであって、前記広告提供者設備は、前記広告情報をユーザに提供する提供手段と、前記ナビゲーション端末装置から送出される信号を受信する受信手段と、を含み、前記ナビゲーション端末装置は、前記広告情報を入力する入力手段と、前記広告情報に基いて前記店舗へと移動体を誘導する誘導手段と、前記店舗を含む所定範囲内に到達した際に、前記広告提供者設備に到着告知信号を送出する送出手段と、を含むことを特徴とする。
【０００９】
また、請求項２に記載の発明は、請求項１に記載の広告情報提供システムにおいて、前記広告情報内の識別番号には、前記店舗の地理的位置情報が含まれていることを特徴とする。
【００１０】
また、請求項３に記載の発明は、請求項２に記載の広告情報提供システムにおいて、前記ナビゲーション端末装置は、前記広告情報内から地理的位置情報を抽出する抽出手段をさらに備え、前記誘導手段は、前記抽出手段が抽出した地理的位置情報に基いて移動体の誘導を行なうことを特徴とする。
【００１１】
また、請求項４に記載の発明は、請求項１に記載の広告情報提供システムにおいて、前記広告情報内の識別番号は、前記広告提供者毎に付与されたコード番号が含まれていることを特徴とする。
【００１２】
また、請求項５に記載の発明は、請求項４に記載の広告情報提供システムにおいて、前記ナビゲーション端末装置は、前記識別情報内からコード番号を抽出する抽出手段をさらに備え、前記送出手段は、前記抽出されたコード番号に基いて当該コード番号に基く広告提供者設備に対して、到着告知信号を送出することを特徴とする。
【００１３】
また、請求項６に記載の発明は、請求項１に記載の広告情報提供システムにおいて、前記広告提供者設備が備える提供手段は、紙媒体による提供であることを特徴とする。
【００１４】
また、請求項７に記載の発明は、請求項１に記載の広告情報提供システムにおいて、前記広告提供者設備が備える提供手段は、前記広告情報を収録した広告情報端末であることを特徴とする。
【００１５】
また、請求項８に記載の発明は、請求項７に記載の広告情報提供システムにおいて、前記広告情報を入力可能な携帯情報端末装置をさらに備え、前記携帯情報端末装置は、前記広告情報端末から前記広告情報を取得する取得手段と、前記ナビゲーション端末装置に対して前記広告情報を送信する送信手段と、を含むことを特徴とする。
【００１６】
また、請求項９に記載の発明は、請求項８に記載の広告情報提供システムにおいて、前記店舗が管理する店舗設備をさらに備え、前記店舗設備は、電子決済手段と、送信手段とを含み、前記携帯情報端末装置は、電子決済手段を含み、前記店舗設備が有する電子決済手段と前記携帯情報端末が有する電子決済手段とが電子決済を行った際に、前記店舗設備もしくは前記携帯情報端末装置の各送信手段より、前記広告提供者設備に対して購入告知信号が送出されることを特徴とする。
【００１７】
また、請求項１０に記載の発明は、請求項１に記載の広告情報提供システムにおいて、前記店舗が管理する店舗設備をさらに備え、前記広告事業者設備は、協力金請求手段を含み、前記店舗設備は、課金処理手段を含み、前記広告提供者設備は、前記到着告知信号を受信した際に、前記店舗に対して協力金の請求を行い、前記店舗設備は、前記協力金の請求に伴い、課金処理を行うことを特徴とする。
【００１８】
上記した課題を解決するために請求項１１に記載の発明は、店舗が依頼する広告情報を前記店舗毎に識別番号を付与して一括管理する広告提供者設備によって発行された前記広告情報に基いて、移動体を誘導するナビゲーション端末装置であって、前記広告情報を入力する入力手段と、前記広告情報に基いて前記店舗へと移動体を誘導する誘導手段と、前記店舗を含む所定範囲内に到達した際に、前記広告提供者設備に到着告知信号を送出する送出手段と、を備えたことを特徴とする。
【００１９】
また、請求項１２に記載の発明は、請求項１１に記載のナビゲーション端末装置において、前記入力手段は、前記広告情報内に付与されている前記識別番号のみを入力可能とされていることを特徴とする。
【００２０】
また、請求項１３に記載の発明は、請求項１２に記載のナビゲーション端末装置において、前記識別番号内から地理的位置情報を抽出する抽出手段をさらに備え、前記誘導手段は、前記識別番号内の地理的位置情報に基いて移動体の誘導を行なうことを特徴とする。
【００２１】
また、請求項１４に記載の発明は、請求項１２に記載のナビゲーション端末装置において、前記広告情報内から地理的位置情報を抽出する抽出手段をさらに備え、前記誘導手段は、前記識別番号内の地理的位置情報に基いて移動体の誘導を行なうことを特徴とする。
【００２４】
上記した課題を解決するために、請求項１５に記載の発明は、店舗が依頼する広告情報を前記店舗毎に識別番号を付与して一括管理する広告提供者設備によって発行された前記広告情報内の識別情報に基いて前記店舗へと移動体を誘導する誘導工程と、前記店舗を含む所定範囲内に到達した際に、前記広告提供者設備に到着告知信号を送出する送出工程と、をナビゲーション端末装置に実行させるプログラムを格納した記録媒体である。
【００２５】
また、請求項１６に記載の発明は、請求項１５に記載の記録媒体において、前記送出工程によって前記到着告知信号を送出した際に当該プログラムを終了する終了工程とをさらに備えたことを特徴とする。
【００２６】
上記した課題を解決するために、請求項１７に記載の発明は、店舗が依頼する広告情報を前記店舗毎に識別番号を付与して一括管理する広告提供者設備と、所定の地域毎に基地局を配置した通信事業者設備と、前記通信事業者設備を管理する通信事業者と所定の契約を施している携帯情報端末装置と、からなる広告情報提供システムであって、前記広告提供者設備は、前記広告情報をユーザに提供する提供手段と、前記通信事業者設備から送出される信号を受信する受信手段と、を含み、前記通信事業者は、前記携帯情報端末装置の現在位置を監視する監視手段と、前記携帯情報端末装置からの信号を受信する受信手段と、前記携帯情報端末装置が前記店舗を含む所定範囲内に到達した際に、前記広告提供者設備に到着告知信号を送出する送出手段とを含み、前記携帯情報端末装置は、前記広告情報を入力する入力手段と、前記通信事業者設備に前記広告情報を送信する送信手段と、を含むことを特徴とする。
【００２７】
また、請求項１８に記載の発明は、請求項１７に記載の広告情報提供システムにおいて、前記広告情報内の識別番号は、店舗の地理的位買情報を含むことを特徴とする。
【００２８】
また、請求項１９に記載の発明は、請求項１７に記載の広告情報提供システムにおいて、前記広告情報内の識別番号は、広告提供者毎に付与されたコード番号を含むことを特徴とする。
【００２９】
また、請求項２０に記載の発明は、請求項１７に記載の広告情報提供システムにおいて、前記携帯情報端末装置は、前記入力手段より前記広告情報が入力された際に、前記送信手段にて、前記通信事業者に対して、少なくとも前記広告情報内の識別番号を送出することを特徴とする。
【００３０】
また、請求項２１に記載の発明は、請求項１７に記載の広告情報提供システムにおいて、前記通信事業者設備は、前記携帯情報端末装置より送信される広告情報内から地理的位置情報を抽出する抽出手段と、前記抽出手段により抽出された地理的位置情報と、前記監視手段により監視される前記携帯情報端末装置の地理的位置情報とを比較する比較手段と、をさらに含み、前記送出手段は、前記比較手段により、前記携帯情報端末装置が前記店舗を含む所定範囲内に到達したことが検出された際に、前記広告提供者設備に到着告知信号を送出することを特徴とする。
【００３１】
また、請求項２２に記載の発明は、請求項２１に記載の広告情報提供システムにおいて、前記通信事業者設備は、前記携帯情報端末装置からの前記識別番号を受信した際に、前記比較手段を起動させることを特徴とする。
【００３２】
また、請求項２３に記載の発明は、請求項１７に記載の広告情報提供システムにおいて、前記通信事業者設備は、前記送信手段にて到着告知信号を送信した際に、前記監視手段による監視を終了することを特徴とする。
【００３６】
【発明の実施の形態】
次に、本発明の好適な実施の形態について、図面を参照しつつ詳細に説明する。なお、以下に説明する各実施の形態は、各店舗の広告情報を広告提供者が一括管理し、広告提供者が提供する各店舗の広告情報を取得した一般ユーザが、当該広告情報に基いて各店舗に訪れた際に所定の手続が為される広告情報提供システムについて本発明を適用した場合の実施の形態である。
【００３７】
（Ｉ）第１実施形態
初めに、本発明に係る第１実施形態について、図１乃至図８を用いて説明する。なお、図１は第１実施形態に係る広告情報提供システムの全体構成を示すブロック図であり、図２乃至図７は当該広告情報提供システムを構成する各ブロックの詳細構造を説明するための図であり、図８は当該広告情報提供システムにおける情報提供処理を示す動作シーケンスチャートを示す図である。
先ず、第１実施形態に係る広告情報提供システムの全体構成及びその動作について説明する。
【００３８】
図１に示すように、第１実施形態の広告情報提供システムＳ１は、店舗１０内に設けられた店舗設備ＳＴと、広告提供者２０内に設けられた広告提供者設備ＳＰと、車輌３０内に設けられたナビゲーション端末ＮＡと、により構成されている。
【００３９】
店舗１０、広告提供者２０、車輌３０は、本図においては説明を簡単にするために単数で示されているが、後述する実施例のように、複数の店舗、複数の広告提供者、複数の車輌（ナビゲーション端末）を備えていても良い。
【００４０】
店舗１０と広告提供者２０の関係は、有線あるいは無線またはその他の手段により情報供給が互いに為されているものとする。また、広告提供者２０と車輌３０内に設けられたナビゲーション端末ＮＡの関係は、広告提供者２０が発行する情報提供誌に付記されている識別番号により、ナビゲーション端末ＮＡが、当該識別番号に基く目的地情報によりルート探索が為されるものとする。なお、ナビゲーション端末ＮＡには、広告提供者２０が発行する後述する所定のプログラム情報がインストールされている。
【００４１】
次に、全体動作を説明する。
上述した構成を有する広告情報提供システムＳ１は、広告提供者２０が各店舗１０の広告情報を掲載した情報提供誌を発行するが、当該情報提供誌には、各店舗毎に所定の識別番号が付記されている。当該情報提供誌を購入したユーザは、その情報提供誌に付記されている店舗の識別番号を、ナビゲーション端末ＮＡにセットすると、ナビゲーション端末ＮＡでは、その識別番号に基き目的地認識を行ない、ルート探索結果に基いた車輌３０の誘導を行う。その後、車輌３０が、その店舗１０に到着すると、ナビゲーション端末ＮＡは、店舗１０への到着告知を知らせる到着告知信号を広告提供者２０に送信し、広告提供者２０は、その到着告知信号に基いて、店舗１０から協力金を徴集するのである。
【００４２】
次に、第１実施形態の広告情報提供システムＳ１を構成する各ブロックの詳細構成及びその動作について、図２乃至図７を用いて説明する。
図２は、店舗１０内に設けられた店舗設備ＳＴの詳細構造を示すブロック図である。
【００４３】
店舗設備ＳＴは、システム制御部１０１を中心に、広告情報作成部１０２、電子決済処理部１０３、無線送受信部１０４、ブルートゥース送受信部１０５と、課金処理部１０６と、を備えている。
【００４４】
まず、広告情報作成部１０２は、自店舗の広告情報を作成する処理部であり、例えば、パソコンなどを利用して作成する。この広告情報作成部１０２にて作成された広告情報は、広告提供者２０に送信される。この送信方法は、通信回線を利用したものでも良いし、郵送でも良い。
【００４５】
次に、電子決済処理部１０３は、ユーザが、店舗内の商品を購入する際に行なわれる電子決済手続の窓口となるものであり、例えば、ユーザが所有する携帯情報端末と該電子決済処理部１０４とが、電子的に決済を行なうものとする。
次に、無線送受信部１０４は、例えば、携帯情報端末による通話信号の送受信やインターネット網への接続を行なうものであり、広告提供者２０やナビゲーション端末ＮＡ又はユーザが所有する携帯情報端末との無線信号の情報送受信を一括して行なうものである。
【００４６】
次に、ブルートゥース（Bluetooth）送受信部１０５は、免許不要の２．４ＧＨｚ帯の微弱電波を用いた伝送方式の電波を送受信可能であり、他の端末機に搭載されたブルートゥース送受信部との電波の送受信を行なう。
【００４７】
次に、課金処理部１０６は、公告提供者設備ＳＰからの協力金請求指令に基づき、所定の金額の支払いを行うものである。
【００４８】
図３は、広告提供者２０内に設けられた広告提供者設備ＳＰの詳細構造を示すブロック図である。
広告提供者設備ＳＰは、システム制御部２０１を中心に、広告情報受付部２０２、広告情報編集部２０３、データベースＤＢ２０４、無線送受信部２０５、課金請求部２０６を備えている。
【００４９】
まず、広告情報受付部２０２は、各店舗１０から依頼された広告情報を受け付けるものである。受け付けられた広告情報は、広告情報編集部２０３に送信される。広告情報編集部２０３は、各店舗１０の広告情報を編集し、ユーザに提供するための提供手段として1つである後述する情報提供誌２１として、例えば、本屋、コンビニエンスストアなどに販売依頼を行なう。
【００５０】
次に、データベースＤＢ２０４は、上述の各店舗１０の広告情報を一括して管理しており、後述する図５に示す情報提供誌の一覧リストのように、店舗毎にデータベース化されている。このデータベースＤＢ２０４は、広告提供者２０が、ナビゲーション端末ＮＡからの到着告知信号に基いて、ユーザが訪れた店舗を認識するために設けられているものであり、データベースの形式は、各情報提供者毎に自由に定めれば良い。
【００５１】
次に、無線送受信部２０５は、例えば、携帯情報端末による通話信号の送受信を行なったり、又は、Bluetooth（ブルートゥース）による電波信号の送受信を行なうものであり、店舗１０やナビゲーション端末ＮＡ又はユーザが所有する携帯情報端末との無線信号の情報送受信を一括して行なうものである。
【００５２】
次に、課金請求部２０６は、各店舗に協力金を請求する処理部であり、ナビゲーション端末ＮＡからの到着告知信号に基いて、ユーザが訪れた店舗に対して、協力金を請求しているのである。
【００５３】
図４は、店舗１０と広告提供者２０との関係を詳細に示す図である。図４（ａ）に示すように、複数の店舗１０Ａ、店舗１０Ｂ、店舗１０Ｃは、自店舗の広告情報の掲載を広告提供者２０Ａに対して依頼している。
すなわち、各店舗１０Ａ、１０Ｂ、１０Ｃは、広告提供者２０Ａが定めた所定の広告掲載料を支払うことにより、各広告提供者２０Ａが発行する情報提供誌２１Ａに自店舗の情報を掲載してもらうのである。広告提供者２０Ａは、複数店舗の広告情報を編集した後、情報提供誌２１Ａと言う形で販売を行なうのである。
【００５４】
なお、後述するが、本広告情報提供システムＳ１は、情報提供誌２１Ａを購入したユーザが、その情報誌２１Ａに掲載されている店舗に訪れた際に、その店舗から広告提供者２０Ａに対して協力金が支払われるシステムとなっているため、上述した広告掲載料は、比較的安価な値段とすることが可能となっている。
【００５５】
すなわち、広告提供者２０Ａにとっては、情報提供誌２１Ａを発売した後、その情報提供誌２１Ａに掲載した店舗から協力金が支払われるため、広告掲載料を安価にしても良いのである。また、広告掲載料を安価にすることにより、さらなる店舗からの広告掲載依頼が入る可能性も生じるのである。
【００５６】
また、店舗１０Ａ、１０Ｂ、１０Ｃにとっては、広告掲載料が安く済み、かつ情報提供誌２１Ａを見て来店したユーザがいた場合に限り、広告提供者２０Ａに協力金を支払うので、無駄な掲載料金を支払うことが無くなるのである。
【００５７】
図４（ｂ）は、別の広告提供者２０Ｂが、情報提供誌２１Ｂを発行する場合を示したものであり、本図においては、店舗１０Ａ、店舗１０Ｄ、店舗１０Ｅが自店舗の広告掲載依頼を行なっている。この場合においても、情報提供誌２１Ｂを購入したユーザが、その情報提供誌２１Ｂに掲載されている店舗に訪れた際に、その店舗から広告提供者２０Ｂに対して協力金が支払われるシステムとなっている。
【００５８】
同様に、図４（ｃ）は、さらにまた別の広告提供者２０Ｃが、情報提供誌２１Ｃを発行する場合を示したものであり、本図においては、店舗１０Ｇ、店舗１０Ｈ、店舗１０Ｉが自店舗の広告掲載依頼を行なっている。この場合においても、情報提供誌２１Ｃを購入したユーザが、その情報提供誌２１Ｃに掲載されている店舗に訪れた際に、その店舗から広告提供者２０Ｃに対して協力金が支払われるシステムとなっている。
【００５９】
なお、本実施形態においては、広告掲載依頼を行なう対象を店舗として説明したが、これに限らず、遊園地、動物園などの行楽施設や、湖、滝などの観光施設などを掲載しても良い。また、広告提供者２０が発行する情報提供誌は単誌に限らず、複数誌を発行しても良い。
【００６０】
図５は、各情報提供誌に掲載される各種広告情報の一覧リストの一例を示したものである。例えば、図５（ａ）は、広告提供者２０Ａが発行した情報提供誌２１Ａの一覧リストであり、店舗毎に、店舗番号、店舗の種類、店舗の情報（店名、営業時間、お買い得情報等）、簡易地図、識別番号とで構成されている。このうち、店舗の種類、店舗の情報（店名、営業時間、お買い得情報等）、簡易地図等は、その店舗（１０Ａ乃至１０Ｃ）が広告提供者２０Ａに提供した情報であり、その情報を元に、広告提供者側が適宜編集を加えたものである。また、店舗番号、識別番号は、広告提供者側が適宜付記した番号である。ここで、この識別番号をナビゲーション端末の目的地情報としてセットすることにより、その店舗が目的地として設定され、車輌を店舗まで誘導することとなる。この識別番号に関しては、後述する。
【００６１】
図５（ｂ）は、広告提供者２０Ｂが発行した情報提供誌２１Ｂの一覧リストであり、店舗毎に、店舗番号、店舗の種類、店舗の情報（店名、営業時間、お買い得情報等）、簡易地図、識別番号とで構成されている。このうち、店舗の種類、店舗の情報（店名、営業時間、お買い得情報等）、簡易地図等は、その店舗（１０Ａ又は１０Ｄ）が広告提供者２０Ｂに提供した情報であり、その情報を元に、広告提供者側が適宜編集を加えたものである。また、店舗番号、識別番号は、広告提供者側が適宜付記した番号である。ここで、この識別番号をナビゲーションの目的地情報としてセットすることにより、その店舗が目的地として設定され、車輌を店舗まで誘導することとなる。
【００６２】
同様に、図５（ｃ）は、広告提供者２０Ｃが発行した情報提供誌２１Ｃの一覧リストであり、店舗毎に、店舗番号、店舗の種類、店舗の情報（店名、営業時間、お買い得情報等）、簡易地図、識別番号とで構成されている。このうち、店舗の種類、店舗の情報（店名、営業時間、お買い得情報等）、簡易地図等は、その店舗（１０Ｇ又は１０Ｈ）が広告提供者２０Ｃに提供した情報であり、その情報を元に、広告提供者側が適宜編集を加えたものである。また、店舗番号、識別番号は、広告提供者側が適宜付記した番号である。ここで、この識別番号をナビゲーションの目的地情報としてセットすることにより、その店舗が目的地として設定され、車輌を店舗まで誘導することとなる。
【００６３】
図６は、上述した識別番号を定義つけるための説明図である。本実施形態の識別番号は、その店舗の地理的位置情報を反映させたものであり、例えば、図６のような地域をメッシュ状に分割し、各セル毎に所定の店舗を割り当てている。例えば、所定の地域を経度、緯度に従いメッシュで区切り、そのセル毎に図６のようなコード番号をつけた場合には、店舗１０Ａは、緯度（００１）、経度（００１）の位置に存在することになる。
【００６４】
また、店舗１０Ｂは、緯度（００５）、経度（０１０）の位置に存在することになる。この地理的位置情報に対するコード番号と共に、広告提供者のコード番号を付記することにより、店舗毎の識別番号としている。すなわち、識別番号の構造を（情報提供者のコード番号＋店舗の緯度に基くコード番号＋店舗の経度に基くコード番号）の数値の連続値として表わしているのである。一例として、店舗１０Ａの場合には、広告提供者２０Ａに広告掲載依頼を行なっているので、店舗１０Ａの識別番号は、（２０Ａ００１００１）として定義付けられる。同様に、店舗１０Ｂの場合には、識別番号（２０Ａ００５００１）として定義付けられる。
【００６５】
また、店舗１０Ａは、広告提供者２０Ｂに対しても広告掲載依頼を行なっているので、広告提供者２０Ｂが発行する広告情報誌２１Ｂには、店舗１０Ａの識別番号として、（２０Ｂ００１００１）が定義付けられる。なお、この識別番号の付記方法は、一例であって、他の形態でも良い。後述するが、ナビゲーション端末ＮＡは、この識別番号により、店舗の目的地がセットされ、かつその店舗への到着時に、到着告知を行なう広告提供者を認識するのである。
【００６６】
このように、図５に示した各情報提供誌の識別番号は、店舗毎の地理的位置情報とその情報誌の発行元である広告提供者とを認識するための番号で構成されている。
図７は車輌３０に設けられ、当該車輌を所定の目的地へと誘導する誘導手段としてのナビゲーション端末ＮＡの内部構成を示すブロック図である。
【００６７】
図７に示すように、本実施例に係るナビゲーション端末ＮＡは、計時手段、検出手段、探索手段及び比較手段としてのシステム中核を担うシステム制御部３０１と、ＧＰＳ（Global  Positioning  System）受信部３０２と、車輌の移動距離及び速度を検出する距離センサ並びに車輌の旋回角速度を検出する角度センサ等を含む各種センサ部３０３と、取得手段としてのＶＩＣＳ（Vehicle  Information  and  Communication  Systems）受信部３０４と、地図情報記憶部３０５と、経路設定手段及び再設定手段としての操作部３０６と、液晶ディスプレイ等よりなる告知手段としての表示部３０７と、音声増幅器及びスピーカ等を含む告知手段としての音声案内部３０８と、操作手段等より入力された情報を一次的に記憶する記憶装置部３０９と、上記以外の各種有線または無線情報を送受信する通信回線送受信部３１０と、ブルートゥースに基く信号を送受信するブルートゥース送受信部３１１と、により構成されている。
【００６８】
先ず、ＧＰＳ受信部３０２は、複数のＧＰＳ衛星からの航法電波を受信し、該受信信号に含まれている位置情報等に基づいて、現在時刻或いは車輌の現在位置情報等を含むＧＰＳ信号を生成し、システム制御部３０１に出力する。
【００６９】
一方、各種センサ部３０３は、当該センサ部３０３に含まれている各センサにおける検出結果に基づいて、自立的に求めた車輌の現在位置（すなわち、出発点を起点とした移動距離及び移動方位を積算して求めた現在位置）を示す位置信号を生成し、システム制御部３０１へ出力する。
【００７０】
これらにより、システム制御部３０１は、位置信号により示される現在位置を主として用い、これをＧＰＳ信号により示される現在位置情報等により補正しつつ車輌の現在位置を検出し、表示部３０７に表示信号として出力して当該表示部３０７内の表示画面上に当該検出された現在位置を示す位置マーク等を表示する。
【００７１】
他方、ＶＩＣＳ受信部３０４は、いわゆるＶＩＣＳから送信されてくる渋滞情報等を含むＶＩＣＳ情報を受信し、当該渋滞情報等を含むＶＩＣＳ信号を生成してシステム制御部３０１へ出力する。
【００７２】
また、ＤＶＤ−ＲＯＭ（DVD-Read  Only  Memory）ドライブ装置又はハードディスクドライブ装置等からなる地図情報記憶部３０５は、表示部３０７上に表示されてナビゲーション処理に用いられる地図情報を一括して記憶し、必要な地図情報を検索して地図信号を生成し、システム制御部３０１へ出力する。
【００７３】
なお、この地図情報記憶部３０５に記憶されている道路情報におけるデータ構成は、図６にて説明した店舗と地理的位置情報との関係のように、一辺の長さ（実際の地形上の長さをその地図の縮尺に応じて短縮した長さ）を有するメッシュが縦横に連続する態様で記憶されている。このとき、各メッシュには夫々固有の番号が付加されている。本発明においては、この固有の番号と、図５、図６で規定した識別番号とを一致させている。
【００７４】
次に、操作部３０６は、ナビゲーション処理の実行に際して当該操作部３０６に対して使用者が必要な操作を行うと、当該実行された操作に対応する操作信号を生成し、システム制御部３０１へ出力する。
【００７５】
一方、表示部３０７は、システム制御部３０１から出力されてくる表示信号に基づいて、ナビゲーション処理に必要な情報を表示し、運転者等に提示する。このとき、表示部３０７において表示される情報としては、地図情報記憶部３０５に記憶されていた地図情報（道路位置、幅員等の道路の敷設態様を示す道路情報及び地点情報並びに著名な建物に関する情報等を含む。）の他に、移動案内のための文字情報、到着予定時刻又は現在時刻等の時刻情報、ＧＰＳ電波の受信状態を示す状態情報等が含まれている。
【００７６】
また、音声案内部３０８は、システム制御部３０１からの音声制御信号に基づいて、ナビゲーション処理に必要な案内音声等を合成し、車室内に放音する。
【００７７】
これらの各構成部材の処理と並行して、システム制御部３０１は、上述した位置マークの表示制御処理の他に、地図情報記憶部３０５に蓄積記憶されている地図情報の読み出し及び表示部３０７における表示、音声案内部３０８における上記案内音声等の出力のための制御並びに後述する経路案内処理等を統括制御する。
【００７８】
また、記憶装置部３０９は、ＲＡＭなどのメモリで構成され、使用者が登録した目的地情報、登録地点情報や、本発明の識別番号などを記憶する記憶手段である。
【００７９】
また、通信回線送受信部３１０は、例えば、インターネットなどの情報を取得するための通信インタフェース部であり、ナビゲーションに必要な各種情報や、地域情報などを外部より取得できるものである。また、携帯情報端末などの通信機器との接続にも用いられている。
【００８０】
一方、ブルートゥース送受信部３１１は、免許不要の２．４ＧＨｚ帯の微弱電波を用いた伝送方式の電波を送受信可能であり、他の端末機に搭載されたブルートゥース送受信部との電波の送受信を行なう。
【００８１】
次に、第１実施形態に係る広告情報提供システムＳ１における情報提供処理を示す動作シーケンスチャートについて図８を用いて説明する。
図８は、第１実施形態の動作を説明するために引用したシーケンスチャートであり、店舗１０内に設けられた店舗設備ＳＴと、広告提供者２０内に設けられた広告提供者設備ＳＰと、車輌３０内に設けられたナビゲーション端末ＮＡ間のそれぞれの動作関係を示している。
【００８２】
第１実施形態に係る情報提供処理においては、初めに、店舗１０が、広告提供者２０に対して広告情報の掲載依頼を行なう（ステップＳ１０１）。これを受けた広告提供者２０は、広告掲載のために広告情報誌の編集作業を行い（ステップＳ１０２）、完成した情報提供誌２１を販売する（ステップＳ１０３）。なお、本シーケンスチャートにおいては、店舗１０のみを示しているが、広告提供者は図４に示すように複数の店舗からの広告を取りまとめ、情報誌を編集しても良い。また、一つの店舗が複数の広告提供者に広告依頼を行っても良い。
【００８３】
次に、販売された広告情報誌を購入したユーザは、当該広告情報誌中に訪れたい店舗があった場合に、当該広告情報誌に付記されている店舗の識別番号を、所有するナビゲーション端末ＮＡの目的地セット工程中に入力を行なう（ステップＳ１０４）。
【００８４】
例えば、ユーザが、広告提供者２０Ａが発行する広告情報誌２１Ａを購入した場合に、当該ユーザが店舗１０Ａに訪れる際には、広告情報誌２１Ａの店舗１０Ａに付記されている識別番号（２０Ａ００１００１）を、ナビゲーション端末ＮＡに目的地情報として入力するのである。この入力操作は、リモコン等による入力方法の他に、音声認識による入力や、バーコードによる入力またはメモリカードに自宅のパソコン等で広告情報（識別番号）を入力し、そのカードをナビゲーション端末ＮＡに挿入して入力する方法などがある。
【００８５】
ナビゲーション端末ＮＡは、当該識別番号の入力に伴い、到着告知プログラムが起動（ステップＳ１０５）し、後述するステップＳ１０８において到着告知の信号送信を行なう。なお、ナビゲーション端末ＮＡでは、この識別番号の入力に基き、ルート探索を行なう（ステップＳ１０６）。すなわち、この識別番号には、前述したように、当該店舗の地理的位置情報が含まれているので、ナビゲーション端末ＮＡは、その位置情報に基き、ルート探索を行なうのである。このことにより、ナビゲーション端末ＮＡは、車輌３０のナビゲーションを開始する（ステップＳ１０７）。
【００８６】
次に、車輌３０が目的地（例えば、店舗１０Ａ）を含む所定のメッシュ領域に到着する（ステップＳ１０８）と、ナビゲーション端末ＮＡは、広告提供者２０に対して、到着告知信号を送信する（ステップＳ１０９）。なお、ナビゲーション端末ＮＡでは、前述したステップＳ１０４の識別番号の入力により、到着告知プログラムが起動（ステップＳ１０５）し、上記のルート探索によるナビゲーションの結果、車輌が目的地を含む所定のメッシュ領域に到着した際には、到着告知信号を当該識別番号に基く広告提供者に送信するように動作するのである。
【００８７】
すなわち、識別番号として（２０Ａ００１００１）がセットされた場合には、ナビゲーション端末ＮＡは、その店舗への到着時に、広告提供者２０Ａに対して、到着告知信号を送信するのである。なお、広告提供者２０Ａが、ユーザが訪れた店舗を認識するために、到着告知信号には、ナビゲーション端末に入力した識別番号を重畳させるのが良い。広告提供者２０Ａは、その到着告知信号に含まれる識別番号によって、店舗（例えば、店舗１０Ａ）を認識することができる。
【００８８】
この到着告知プログラムの具体的な告知方法としては、例えば、ナビゲーション端末ＮＡに内蔵された通信回線送受信部３１０が、インターネットに接続し、広告提供者２０のサーバに到着情報を送信する方法や、店舗１０に設置された無線送受信部１０４が、広告提供者２０の無線送受信部２０５と接続されており、ナビゲーション内蔵の通信回線送受信部３１０が店舗１０の無線送受信部１０４と通信することで、その通信結果が、広告提供者２０に告知される方法等が考えられる。
【００８９】
一方、ナビゲーション端末ＮＡは、到着告知信号の送信により、到着告知プログラムを終了させる（ステップＳ１１０）。すなわち、ユーザが、情報提供誌を購入し、その情報提供誌内に掲載されている店舗に訪れた際に、本プログラムはその役目を終了するのである。なお、ユーザによっては、識別番号を入力したにも関わらず、その店舗に訪れないこともありえるので、他の目的地が設定された際や、所定時間が経過した際には、本プログラムを終了させるようにしても良い。
【００９０】
次に、到着告知信号を受信した広告提供者２０は、当該告知信号中に重畳されている識別番号から、店舗情報を導き出し、当該店舗に対して、協力金の請求を発する（ステップＳ１１１）。店舗１０は、請求された請求金額に基き、協力金の支払いを行なう（ステップＳ１１２）。
【００９１】
なお、店舗１０側にとっては、ユーザが、本情報誌に掲載した広告情報によって店舗に訪れたか否かが認識できないので、ステップＳ１１３のように、ナビゲーション端末ＮＡが、到着告知信号を店舗にも送信するような形態を採っても良い。その際には、上述した到着告知プログラムに、店舗への送信プログラムが内蔵されていれば良い。
【００９２】
以上説明したように、本発明に係る第１実施形態の広告情報提供システムＳ１は、情報提供誌２１を購入したユーザが、その店舗１０に訪れた際に、その店舗１０から広告提供者２０に対して協力金が支払われるようになっているので、広告提供者２０は多くの店舗を広告掲載することによって莫大な協力金（ランニングコスト）を入手でき、その分、情報提供誌ならびに広告掲載料の値引きに廻すことが可能となる。また、店舗１０では、情報提供誌を見てユーザに入店を導いた広告提供者２０に対して協力金を支払うため納得のいく仕組みであり、また、広告掲載料が安価になれば、さらなる広告依頼が可能となるのである。また、ユーザは、識別番号のみで店舗の目的地設定が可能となるため、設定操作の煩わしさから開放されるのである。
【００９３】
（II）第２実施形態
次に、本発明に係る他の実施形態である第２実施形態について、図９乃至図１４を用いて説明する。なお、図９は第２実施形態に係る広告情報提供システムの全体構成を示すブロック図であり、図１０乃至図１２は当該広告情報提供システムを構成する各ブロックの詳細構造を説明するための図であり、図１３又は図１４は当該広告情報提供システムにおける情報提供処理を示す動作シーケンスチャートを示す図である。
先ず、第２実施形態に係る広告情報提供システムの全体構成及びその動作について説明する。
【００９４】
図９に示すように、第２実施形態の広告情報提供システムＳ２は、店舗１０内に設けられた店舗設備ＳＴと、広告提供者２０内に設けられた広告提供者設備ＳＰと、広告提供者２０が管理する広告情報端末ＳＰＤＢと、車輌３０内に設けられたナビゲーション端末ＮＡと、通信事業者４０内に設けられた通信事業者設備ＴＥと、通信事業者４０と所定の契約を施している携帯情報端末ＣＡと、からなる。
【００９５】
なお、第１実施形態と同一番号のブロックは、基本的に第１実施形態の構造と同様であるので、その詳細な説明は省略する。
【００９６】
本図において、店舗１０、広告提供者２０、広告情報端末ＳＰＤＢ、車輌３０（ナビゲーション端末ＮＡ）、通信事業者４０、携帯情報端末ＣＡは、説明を簡単にするために単数で示されているが、後述する実施例のように、複数の店舗、複数の広告提供者、複数の広告情報端末、複数の車輌（ナビゲーション端末）、複数の通信事業者、複数の携帯情報端末を備えていても良い。
【００９７】
店舗１０と広告提供者２０の関係は、有線あるいは無線またはその他の手段により情報供給が互いに為されている。また、広告提供者２０と車輌３０内に設けられたナビゲーション端末ＮＡの関係は、広告提供者２０が発行する店舗毎の識別番号により、ナビゲーション端末ＮＡが、当該識別番号に基く目的地情報によりルート探索が為されるものとする。なお、ナビゲーション端末ＮＡには、第１実施形態と同様に広告提供者が発行する所定のプログラム情報がインストールされている。
【００９８】
次に、全体動作を説明する。
上述した構成を有する広告情報提供システムＳ２は、広告提供者２０が、各店舗１０の広告情報を自者が管理する広告情報端末ＳＰＤＢに掲載するが、当該広告情報端末ＳＰＤＢには、各店舗毎に所定の識別番号が付記された状態でデータベース化されている。
なお、この広告情報端末ＳＰＤＢは、例えば、その店舗１０が存在する所定の地域内のコンビニエンスストアや、又は、高速道路上のサービスエリアなどに設置されている。当該広告情報端末ＳＰＤＢが設置されている場所に訪れたユーザは、その広告情報端末ＳＰＤＢ内に収録されている店舗情報を閲覧し、自分が訪れたい店舗１０の店舗情報を、自分の携帯情報端末ＣＡにダウンロードする。このダウンロードには、ブルートゥースによる無線通信が利用できる。
【００９９】
その後、ユーザがその店舗１０に訪れるために車輌３０に搭載されたナビゲーション端末ＮＡに、その広告情報内の識別番号を転送する。ナビゲーション端末ＮＡでは、その識別番号に基き目的地認識を行ない、ルート探索結果に基いた車輌３０の誘導を行う。その後、車輌３０が、その店舗１０に到着すると、ナビゲーション端末ＮＡは、店舗１０への到着告知を知らせる到着告知信号を広告提供者２０に送信し、広告提供者２０は、その到着告知信号に基いて、店舗１０から協力金を徴集するのである。
【０１００】
次に、第２実施形態の広告情報提供システムＳ２を構成する各ブロックの詳細構成及びその動作について、図１０乃至図１２を用いて説明する。
図１０は、広告提供者２０が管理する広告情報端末ＳＰＤＢの詳細構造を示すブロック図である。なお、この公告情報端末ＳＰＤＢにより、ユーザに対して各店舗の公告情報を提供するのである。
【０１０１】
広告情報端末ＳＰＤＢは、システム制御部２５１を中心に、広告情報蓄積部２５２、表示部２５３、音声案内部２５４、操作部２５５、通信回線送受信部２５６、ブルートゥース送受信部２５７を備えている。
まず、広告情報蓄積部２５２は、各店舗１０から依頼された広告情報を収録しているデータベースであり、広告提供者設備ＳＰ内の広告情報編集部２０３が編集した広告情報を収録している。次に、表示部２５３は、上記広告情報を表示するモニターであり、例えば、液晶モニターなどからなる。なお、ユーザの選択操作を容易にするために、いわゆるタッチパネル機能を有していても良い。次に、音声案内部２５４は、ユーザの選択操作に基づく、所定の案内音声や、広告情報の紹介を行なうものであり、図示せぬスピーカを通して報知される。
【０１０２】
次に、操作部２５５は、ユーザによる選択処理を受け付けるものであり、ユーザが欲する広告情報を選択するために設けられている。また、ユーザが欲する情報を携帯情報端末ＣＡに転送する際にも、この操作部が用いられる。
【０１０３】
次に、通信回線送受信部２５６は、例えば、携帯情報端末による通話信号の送受信を行なったり、又は、インターネットの送受信を行なうものであり、広告提供者２０やユーザが所有する携帯情報端末ＣＡとの無線信号の情報送受信を一括して行なうものである。また、ブルートゥース送受信部２５７は、免許不要の２．４ＧＨｚ帯の微弱電波を用いた伝送方式の電波を送受信可能であり、他の端末機に搭載されたブルートゥース送受信部との電波の送受信を行なう。
最後に、システム制御部２５１は、上記の各ブロックの一括制御を行なう処理部である。
【０１０４】
図１１は、通信事業者４０内に設けられた通信事業者設備ＴＥの内部構造を示すブロック図である。
通信事業者設備ＴＥは、基地局４０１、交換網４０２、サーバ４０３と、を備えている。
【０１０５】
まず、基地局４０１は、携帯情報端末ＣＡと他の携帯情報端末ＣＡとの送受信信号の中継を担うものであり、セルと呼ばれる小さな地域毎に配置されている。図では、２つの基地局４０１を示しているが、実際には多数の基地局が存在する。また、その基地局４０１は、専用回線を介して交換網４０２に接続されており、これらがネットワークを形成している。
【０１０６】
次に、情報サーバ４０３は、通信事業者４０と所定の契約を施している携帯情報端末ＣＡとそのユーザを一括管理している。また、情報サーバ４０３は、各基地局４０１が取得した携帯情報端末ＣＡの地理的位置情報を管理し、各携帯情報端末の地理的位置を常に把握できるようになっている。
図１２は、通信事業者４０と所定の契約を施している携帯情報端末ＣＡの内部構造を示すブロック図である。
携帯情報端末ＣＡは、システム制御部４５１を中心に、送受信部４５２、表示部４５３、操作部４５４、内部メモリ４５５、マイク４５６、スピーカ４５７、ＧＰＳ（Global  Positioning  System）受信部４５８、ブルートゥース送受信部４５９を備えている。
【０１０７】
まず、送受信部４５２は、通信事業者設備ＴＥが備える基地局４０１と通信可能となっており、情報の送受信を行なう。また、表示部４５３は、携帯情報端末ＣＡ内に蓄積されている各種情報を表示すると共に、受信した各種情報などを表示するために設けられている。
【０１０８】
次に、操作部４５４は、情報処理に係る各種操作を受け付けるためのに設けられており、本実施形態においては、例えば、広告情報端末ＳＰＤＢから、店舗の広告情報を取得するための操作に用いられると共に、当該広告情報をナビゲーション端末ＮＡに転送するための操作に用いられる。
【０１０９】
また、内部メモリ４５５は、各種情報を蓄積する記憶手段であり、本実施形態においては、上述した広告情報を蓄積する機能を担っている。また、ＧＰＳ受信部４５８は、複数のＧＰＳ衛星からの航法電波を受信し、該受信信号に含まれている位置情報等に基づいて、現在時刻或いは携帯情報端末ＣＡの現在位置情報等を含むＧＰＳ信号を生成し、制御回路４５１に出力する。ブルートゥース送受信部４５９は、免許不要の２．４ＧＨｚ帯の微弱電波を用いた伝送方式の電波を送受信可能であり、他の端末機に搭載されたブルートゥース送受信部との電波の送受信を行なう。
【０１１０】
最後に制御回路４５１は、上述の各ブロックを一括して制御している。
次に、第２実施形態に係る広告情報提供システムＳ２における情報提供処理を示す動作シーケンスチャートについて図１３を用いて説明する。
【０１１１】
図１３は、第２実施形態の動作を説明するために引用したシーケンスチャートであり、店舗１０内に設けられた店舗設備ＳＴと、広告提供者２０内に設けられた広告提供者設備ＳＰと、当該広告提供者２０が管理する広告情報端末ＳＰＤＢと、携帯情報端末ＣＡと、車輌３０内に設けられたナビゲーション端末ＮＡ間のそれぞれの動作関係を示している。
【０１１２】
第２実施形態に係る情報提供処理においては、初めに、店舗１０が、広告提供者２０に対して広告情報の掲載依頼を行なう（ステップＳ２０１）。これを受けた広告提供者２０は、広告情報を広告情報端末に収録するために編集作業を行い（ステップＳ２０２）、完成した広告情報を広告情報端末ＳＰＤＢに収録する（ステップＳ２０３）。なお、本シーケンスチャートにおいては、店舗１０のみを示しているが、広告提供者２０は複数の店舗からの広告を取りまとめ、広告情報端末ＳＰＤＢに収録しても良い。また、一つの店舗が複数の広告提供者に広告依頼を行っても良い。また、広告情報端末ＳＰＤＢは、例えば、全国のコンビニエンスストアなどに設置されており、広告提供者２０は、専用の通信回線を利用して、広告情報の編集作業を行なうのである。
【０１１３】
次に、ユーザが、コンビニエンスストア等に設置されている広告情報端末ＳＰＤＢを操作する（ステップＳ２０４）ことにより、広告情報端末ＳＰＤＢの表示部２５３に、店舗の広告情報が表示される（ステップＳ２０５）。この広告情報の表示は、例えば、ジャンル別、地域別などによる分類別に表示が可能であり、ユーザは、所定の操作手順に従って、自分の欲する情報を表示させることが出きる。その後、ユーザは、店舗情報の選択操作を行い（ステップＳ２０６）、所有する携帯情報端末ＣＡに店舗情報を転送する（ステップＳ２０７）。なお、この時の転送方法は、例えば、ブルートゥースによる無線通信によって転送すれば良い。なお、この店舗情報には、第１実施形態と同様に店舗毎の識別番号が付加されている。
【０１１４】
次に、ユーザは、広告情報を取得した店舗１０に訪れるために、車輌３０に乗り、ナビゲーション端末ＮＡを起動させる。ナビゲーション端末ＮＡが起動した後、ユーザは、携帯情報端末ＣＡ内の店舗１０の広告情報をナビゲーション端末ＮＡに転送する。（ステップＳ２０８）。この転送処理は、例えば、携帯情報端末ＣＡとナビゲーション端末ＮＡとが、ブルートゥース通信網を形成し、当該通信網を利用して行なっても良い。その際、携帯情報端末ＣＡに所定のプログラム情報を内蔵しておき、ナビゲーション端末ＮＡがブルートゥース通信領域内に入った際に、自動的に識別情報が転送されるようにしても良い。
【０１１５】
次に、ナビゲーション端末ＮＡは、当該識別番号の入力に伴い、到着告知プログラムが起動（ステップＳ２０９）し、後述するステップＳ２１３において到着告知の信号送信を行なう。なお、ナビゲーション端末ＮＡでは、この識別番号の入力に基き、ルート探索を行なう（ステップＳ２１０）。例えば、広告情報端末ＳＰＤＢに収録されている店舗１０Ａに訪れるために、携帯情報端末ＣＡに、その広告情報をダウンロードした場合には、携帯情報端末ＣＡからナビゲーション端末ＮＡには、識別番号（２０Ａ００１００１）が、ブルートゥース通信で転送される。ナビゲーション端末ＮＡでは、その識別番号内の地理的位置情報に基き、目的地先を設定し、ルート探索を行なうのである（ステップＳ２１０）。このことにより、ナビゲーション端末ＮＡでは、車輌３０のナビゲーションを開始する（ステップＳ２１１）。
【０１１６】
次に、車輌３０が目的地（例えば、店舗１０Ａ）を含む所定のメッシュ領域に到着する（ステップＳ２１０）と、ナビゲーション端末ＮＡは、広告提供者２０に対して、到着告知信号を送信する（ステップＳ２１３）。なお、ナビゲーション端末ＮＡでは、前述したステップＳ２０８の識別番号の転送により、到着告知プログラムが起動（ステップＳ２０９）し、上記のルート探索によるナビゲーションの結果、車輌が目的地を含む所定のメッシュ領域に到着した際には、到着告知信号を当該識別番号に基く広告提供者に送信するように動作するのである。
【０１１７】
すなわち、識別番号として（２０Ａ００１００１）がセットされた場合には、ナビゲーション端末ＮＡは、その店舗への到着時に、広告提供者２０Ａに対して、到着告知信号を送信するのである。なお、広告提供者２０Ａが、ユーザが訪れた店舗を認識するために、到着告知信号には、ナビゲーション端末に入力した識別番号を重畳させるのが良い。広告提供者２０Ａは、その到着告知信号に含まれる識別番号によって、店舗（例えば、店舗１０Ａ）を認識することができる。
【０１１８】
この到着告知プログラムの具体的な告知方法としては、例えば、ナビゲーション端末ＮＡに内蔵された通信回線送受信部３１０が、インターネットに接続し、広告提供者２０のサーバに到着情報を送信する方法や、店舗１０に設置された無線送受信部１０４が、広告提供者２０の無線送受信部２０５と接続されており、ナビゲーション内蔵の通信回線送受信部３１０が店舗１０の無線送受信部１０４と通信することで、その通信結果が、広告提供者２０に告知される方法等が考えられる。
【０１１９】
一方、ナビゲーション端末ＮＡは、到着告知信号の送信により、到着告知プログラムを終了させる（ステップＳ２１４）。すなわち、ユーザが、情報提供誌を購入し、その情報提供誌内に掲載されている店舗に訪れた際に、本プログラムはその役目を終了するのである。なお、ユーザによっては、識別番号を入力したにも関わらず、その店舗に訪れないこともありえるので、他の目的地が設定された際や、所定時間が経過した際には、本プログラムを終了させるようにしても良い。
【０１２０】
次に、到着告知信号を受信した広告提供者２０は、当該告知信号中に重畳されている識別番号から、店舗情報を導き出し、当該店舗に対して、協力金としての広告料の請求を発する（ステップＳ２１５）。店舗１０は、請求された請求金額に基き、協力金の支払いを行なう（ステップＳ２１６）。
【０１２１】
なお、店舗１０側にとっては、ユーザが、本情報誌に掲載した広告情報によって店舗に訪れたか否かが認識できないので、ステップＳ２１７のように、ナビゲーション端末ＮＡが、到着告知信号を店舗１０にも送信するような形態を採っても良い。その際には、上述した到着告知プログラムに、店舗への送信プログラムが内蔵されていれば良い。
【０１２２】
以上説明したように、本発明に係る第２実施形態の広告情報提供システムＳ２は、広告情報端末ＳＰＤＢから広告情報を取得したユーザが、その店舗１０に訪れた際に、その店舗１０から広告提供者２０に対して協力金が支払われるようになっているので、広告提供者２０は多くの店舗を収録することによって莫大な協力金を入手でき、その分、広告掲載料の値引きに廻すことが可能となる。また、店舗１０では、広告情報端末ＳＰＤＢから情報を取得し、そのユーザを入店に導いた広告提供者２０に対して協力金を支払うため納得のいく仕組みであり、また、広告掲載料が安価になれば、さらなる広告依頼が可能となるのである。また、ユーザは、携帯情報端末ＣＡを利用することにより、その店舗の目的地設定が容易となるため、設定操作の煩わしさから開放されるのである。
【０１２３】
（第２実施形態の変形例）
次に、本発明に係る第２実施形態の変形例について、図１４を用いて説明する。
図１４に示すシーケンスチャートは、図１３に示す第２実施形態の広告情報提供システムＳ２のシーケンスチャートの変形例である。
【０１２４】
本実施形態における広告情報提供システムＳ２は、広告情報端末ＳＰＤＢから取得した広告情報を元に、そのユーザが、店舗に訪れて商品を購入した際に、その店舗から広告提供者に対して協力金が支払われるシステムである。
図１４は、図１３に示す本発明の第２実施形態の変形例の動作を説明するために引用したシーケンスチャートであり、店舗１０内に設けられた店舗設備ＳＴと、広告提供者２０内に設けられた広告提供者設備ＳＰと、当該広告提供者２０が管理する広告情報端末ＳＰＤＢと、携帯情報端末ＣＡと、車輌３０内に設けられたナビゲーション端末ＮＡ間のそれぞれの動作関係を示している。なお、本シーケンスチャートにおいて、図１３と同一ステップであるステップＳ２０１からＳ２１７については、その説明を省略する。
【０１２５】
ステップＳ２１２により、ユーザが広告情報を取得した店舗１０に訪れた際に、その店舗１０の商品を購入すると（ステップＳ２１８）、本実施形態においては、電子決済処理がなされる（ステップＳ２１９）。この電子決済処理は、例えば、携帯情報端末ＣＡに備えられたブルートゥース送受信部４５９と店舗に備えられた無線送受信部１０４が無線通信で接続され、店舗に備えられた電子決済処理部１０３により為されるものとする。
【０１２６】
電子決済処理が為されると、店舗１０から広告提供者２０に対して購入告知信号が送信される（ステップＳ２２０）。この購入告知信号は、予め店舗１０と広告提供者２０とが所定の取り決めを行ない、商品の購入に基く電子決済を行った際に、ユーザの携帯情報端末ＣＡから識別番号が送信されるようなプログラムを設定し、かつ店舗１０では、識別番号の受信に基き、広告提供者２０に対して、購入告知信号が送信されるようにプログラム設定が為されているのである。
【０１２７】
なお、携帯情報端末ＣＡ側から、広告提供者２０に対して、電子決済の際に購入告知信号が送信されるようにしても良い（ステップＳ２２１）。
次に、購入告知信号を受信した広告提供者２０は、当該告知信号中に重畳されている識別番号から、店舗情報を導き出し、当該店舗に対して、協力金としての広告料の請求を発する（ステップＳ２２２）。店舗１０は、請求された請求金額に基き、協力金の支払いを行なう（ステップＳ２２３）。
【０１２８】
以上説明したように、本発明に係る第２実施形態の変形例による広告情報提供システムＳ２は、広告情報端末ＳＰＤＢから広告情報を取得したユーザが、その店舗１０に訪れて商品を購入した際に、その店舗１０から広告提供者２０に対して協力金が支払われるようになっているので、広告提供者２０は多くの店舗を収録することによって莫大な協力金を入手でき、その分、広告掲載料の値引きに廻すことが可能となる。また、店舗１０では、広告情報端末ＳＰＤＢから情報を取得し、そのユーザを入店に導き、購入まで至った場合に広告提供者２０に対して協力金を支払うため納得のいく仕組みであり、また、広告掲載料が安価になれば、さらなる広告依頼が可能となるのである。また、ユーザは、携帯情報端末ＣＡを利用することにより、その店舗の目的地設定が容易となるため、設定操作の煩わしさから開放されるのである。
【０１２９】
なお、上述した第２実施例の変形例にあっては、到着告知信号に基く協力金の支払いステップ（ステップＳ２１３〜ステップＳ２１７）が行われなくても良い。すなわち、ユーザの商品購入に基づいた際にのみ、協力金が支払われるようにしても良い。
【０１３０】
（III）（第３実施形態）
次に、本発明に係る他の実施形態である第３実施形態について、図１５乃至図１７を用いて説明する。なお、図１５は第３実施形態に係る広告情報提供システムの全体構成を示すブロック図であり、図１６又は図１７は当該広告情報提供システムにおける情報提供処理を示す動作シーケンスチャートを示す図である。
先ず、第３実施形態に係る広告情報提供システムの全体構成及びその動作について説明する。
【０１３１】
図１５に示すように、第３実施形態の広告情報提供システムＳ３は、店舗１０内に設けられた店舗設備ＳＴと、広告提供者２０内に設けられた広告提供者設備ＳＰと、広告提供者２０が管理する広告情報端末ＳＰＤＢと、通信事業者４０内に設けられた通信事業者設備ＴＥと、通信事業者４０と所定の契約を施している携帯情報端末ＣＡと、からなる。
【０１３２】
なお、第１及び第２実施形態と同一番号のブロックは、基本的に第１及び第２実施形態の構造と同様であるので、その詳細な説明は省略する。
【０１３３】
本図において、店舗１０、広告提供者２０、広告情報端末ＳＰＤＢ、通信事業者４０、携帯情報端末ＣＡは、説明を簡単にするために単数で示されているが、後述する実施例のように、複数の店舗、複数の広告提供者、複数の広告情報端末、複数の通信事業者、複数の携帯情報端末を備えていても良い。
【０１３４】
店舗１０と広告提供者２０の関係は、有線あるいは無線またはその他の手段により情報供給が互いに為されている。また、広告提供者２０と携帯情報端末ＣＡの関係は、携帯情報端末ＣＡでは、広告提供者２０が発行する店舗毎の識別番号により後述する所定のプログラムが起動し、その識別番号を通信事業者４０に送信するものととする。また、広告提供者２０と通信事業者４０の関係は、広告提供者２０が発行する店舗毎の識別番号が、携帯情報端末ＣＡ経由で送信されてきた際に、後述する所定のプログラムが起動し、所定のタイミングで、通信事業者４０側から広告提供者２０に対して、到着告知信号が送信されるものとする。
【０１３５】
次に、全体動作を説明する。
上述した構成を有する広告情報提供システムＳ３は、広告提供者２０が、各店舗１０の広告情報を自者が管理する広告情報端末ＳＰＤＢに収録するが、当該広告情報端末ＳＰＤＢには、各店舗毎に所定の識別番号が付記された状態でデータベース化されている。なお、この広告情報端末ＳＰＤＢは、例えば、その店舗１０が存在する所定の地域内のコンビニエンスストアや、又は、高速道路上のサービスエリアなどに設置されている。当該広告情報端末ＳＰＤＢが設置されている場所に訪れたユーザは、その広告情報端末ＳＰＤＢ内に収録されている店舗情報を閲覧し、自分が訪れたい店舗１０の店舗情報を、自分の携帯情報端末ＣＡにダウンロードする。このダウンロードには、ブルートゥースによる無線通信が利用できる。
【０１３６】
その後、携帯情報端末ＣＡを所有するユーザがその店舗に訪れた際に、通信事業者４０は、そのユーザが店舗１０に訪れたことを知らせる到着告知信号を広告提供者２０に送信し、広告提供者２０は、その到着告知信号に基いて、店舗１０から協力金を徴集するのである。
【０１３７】
次に、第３実施形態に係る広告情報提供システムＳ３における情報提供処理を示す動作シーケンスチャートについて図１６を用いて説明する。
図１６は、第３実施形態の動作を説明するために引用したシーケンスチャートであり、店舗１０内に設けられた店舗設備ＳＴと、広告提供者２０内に設けられた広告提供者設備ＳＰと、当該広告提供者２０が管理する広告情報端末ＳＰＤＢと、携帯情報端末ＣＡと、通信事業者４０内に設けられた通信事業者設備ＴＥ間のそれぞれの動作関係を示している。
【０１３８】
第３実施形態に係る情報提供処理においては、前提として、ユーザが所有する携帯情報端末ＣＡと通信事業者４０との間で、任意の時間おきに位置登録処理が行なわれているものとする（ステップＳ３００）。これは、通信事業者設備ＴＥ内に設けられた複数の基地局４０１と携帯情報端末ＣＡとが、お互いに位置登録処理を行ない、通信事業者設備ＴＥ内に設けられた情報サーバ４０３が、常に携帯情報端末ＣＡの地理的位置情報を監視しているのである。
【０１３９】
次に、店舗１０がまず、広告提供者２０に対して広告情報の掲載依頼を行なう（ステップＳ３０１）。これを受けた広告提供者２０は、広告情報を広告情報端末ＳＰＤＢに収録するために編集作業を行い（ステップＳ３０２）、完成した広告情報を広告情報端末ＳＰＤＢに収録する（ステップＳ３０３）。なお、本シーケンスチャートにおいては、店舗１０のみを示しているが、広告提供者は複数の店舗からの広告を取りまとめ、広告情報端末ＳＰＤＢに収録しても良い。また、一つの店舗が複数の広告提供者２０に広告依頼を行っても良い。また、広告情報端末ＳＰＤＢは、例えば、全国のコンビニエンスストアなどに設置されており、広告提供者２０は、通信回線を利用して、広告情報の編集作業を行なうのである。
【０１４０】
次に、ユーザが、コンビニエンスストア等に設置されている広告情報端末ＳＰＤＢを操作する（ステップＳ３０４）ことにより、広告情報端末ＳＰＤＢの表示部２５５に、店舗の広告情報が表示される（ステップＳ３０５）。この広告情報の表示は、例えば、ジャンル別、地域別などによる分類別に表示が可能であり、ユーザは、所定の操作手順に従って、自分の欲する情報を表示させることが出きる。
【０１４１】
その後、ユーザは、店舗情報の選択操作を行い（ステップＳ３０６）、所有する携帯情報端末ＣＡに店舗情報を転送する（ステップＳ３０７）。なお、この時の転送方法は、例えば、ブルートゥースによる無線通信によって転送すれば良い。なお、この店舗情報には、第２実施形態と同様に店舗毎の識別番号が付加されている。
【０１４２】
携帯情報端末ＣＡは、識別番号の受信により情報転送プログラムが起動し（ステップＳ３０８）、その識別番号を通信事業者４０に転送する（ステップＳ３０９）。
通信事業者４０は、通信事業者設備ＴＥ内に設けられた情報サーバ４０３が携帯情報端末ＣＡから送信されてきた識別番号を受信すると、到着告知信号プログラムが起動するようになる（ステップＳ３１０）。この到着告知プログラムは、識別番号中内に記載されている店舗の地理的位置情報と、携帯情報端末ＣＡとの地理的位置情報とを常に比較（ステップＳ３１１）し、携帯情報端末ＣＡが、店舗１０の地理的位置情報を含む所定領域内に到達した（ステップＳ３１２：ＹＥＳ）ら、広告提供者２０に対して到着告知信号を送出するようにされている（ステップＳ３１３）。
【０１４３】
次に、ユーザが、広告情報を取得した店舗１０に訪れると、通信事業者設備ＴＥ内の情報サーバ４０３は、携帯情報端末ＣＡが、店舗１０の地理的位置情報を含む所定領域内に到達したことを検知（ステップＳ３１２：ＹＥＳ）し、広告提供者２０に対して到着告知信号を送出する（ステップＳ３１３）する。なお、通信事業者４０は、携帯情報端末ＣＡを所有するユーザが訪れた店舗を認識するために、到着告知信号に含まれる識別番号によって、店舗（例えば、店舗１０Ａ）を認識することができる。
【０１４４】
一方、通信事業者ＴＥは、到着告知信号の送信により、到着告知プログラムを終了させる（ステップＳ３１４）。すなわち、ユーザが、広告情報端末ＳＰＤＢに収録されている広告情報を元に、その店舗に訪れた際に、本プログラムはその役目を終了するのである。なお、ユーザによっては、広告情報端末ＳＰＤＢから広告情報を取得したにも関わらず、その店舗に訪れないこともありえるので、後述するように所定時間が経過した際には、本プログラムを終了させるようにしても良い。
【０１４５】
次に、到着告知信号を受信した広告提供者２０は、当該告知信号中に重畳されている識別番号から、店舗情報を導き出し、当該店舗に対して、協力金の請求を発する（ステップＳ３１５）。店舗１０は、請求された請求金額に基き、協力金の支払いを行なう（ステップＳ３１６）。
【０１４６】
なお、店舗１０側にとっては、ユーザが、広告情報端末ＳＰＤＢ本情に収録した広告情報によって店舗に訪れたか否かが認識できないので、ステップＳ３１７のように、通信事業者４０が、到着告知信号を店舗１０にも送信するような形態を採っても良い。その際には、上述した到着告知プログラムに、店舗への送信プログラムが内蔵されていれば良い。
【０１４７】
一方、通信事業者設備ＳＰの情報サーバ４０３は、店舗１０の地理的位置情報と、携帯情報端末ＣＡとの地理的位置情報とを常に比較する（ステップＳ３１２）が、本プログラムが起動してから、所定時間を経過しても、携帯情報端末ＣＡが、店舗１０の地理的位置情報を含む所定領域内に入らない場合（ステップＳ３１８：ＹＥＳ）は、本プログラムを終了させるのが良い（ステップＳ３１４）。これは、例えば、ユーザが設定された店舗１０に出向くことをキャンセルした場合の措置である。
【０１４８】
以上説明したように、本発明に係る第３実施形態の広告情報提供システムＳ３は、広告情報端末ＳＰＤＢから広告情報を取得したユーザが、その店舗１０に訪れた際に、その店舗１０から広告提供者２０に対して協力金が支払われるようになっているので、広告提供者２０は多くの店舗を収録することによって莫大な協力金を入手でき、その分、広告掲載料の値引きに廻すことが可能となる。また、店舗１０では、広告情報端末ＳＰＤＢから情報を取得し、そのユーザを入店に導いた広告提供者２０に対して協力金を支払うため納得のいく仕組みであり、また、広告掲載料が安価になれば、さらなる広告依頼が可能となるのである。
【０１４９】
なお、本実施形態においては、通信事業者４０が、携帯情報端末ＣＡの位置認識を行なっているが、携帯情報端末ＣＡにＧＰＳ受信機４５８が搭載されている場合は、ステップＳ３１０からステップＳ３１４並びにステップＳ３１７及びステップＳ３１８の各ステップを為すプログラムを携帯情報端末ＣＡに内蔵しても良い。
【０１５０】
（第３実施形態の変形例）
次に、本発明に係る第３実施形態の変形例について、図１７を用いて説明する。
図１７に示すシーケンスチャートは、図１６に示す第３実施形態の広告情報提供システムＳ３のシーケンスチャートの変形例である。
【０１５１】
本実施形態における広告情報提供システムＳ３は、広告情報端末ＳＰＤＢから取得した広告情報を元に、そのユーザが、店舗に訪れた際に、ユーザが所有する携帯情報端末ＣＡと店舗１０とがブルートゥース認証を行ない、その認証に基づき、店舗１０側から広告提供者２０に到着告知信号が送出され、その店舗１０から広告提供者２０に対して協力金が支払われるシステムである。また、第２実施形態の変形例でも説明したように、店舗１０内の商品を購入した際に、その店舗１０から広告提供者２０に対して協力金が支払われる場合も例示している。
【０１５２】
図１７は、図１６に示す本発明の第３実施形態の変形例の動作を説明するために引用したシーケンスチャートであり、店舗１０内に設けられた店舗設備ＳＴと、広告提供者２０内に設けられた広告提供者設備ＳＰと、当該広告提供者２０が管理する広告情報端末ＳＰＤＢと、携帯情報端末ＣＡと、のそれぞれの動作関係を示している。なお、本シーケンスチャートにおいて、図１６と同一ステップであるステップＳ３０１からＳ３０７については、その説明を省略する。
【０１５３】
ステップＳ３０７により、ユーザが広告情報を携帯情報端末ＣＡに転送すると携帯情報端末ＣＡでは、ブルートゥース認証プログラムが起動する（ステップＳ３０８）。すなわち、本実施形態の場合には、店舗１０の識別番号にはさらに、店舗１０内の店舗設備ＳＴに備えられているブルートゥース送受信部１０５の機器アドレス番号が付加されており、ブルートゥース認証プログラムにおいては、このアドレス番号を有するブルートゥース送受信部と通信可能な状態になった際に、ブルートゥース認証がなされ（ステップＳ３０９）、その後識別番号が店側に送出され、店舗１０側においては、その識別番号に基き、広告提供者２０に対して、到着告知信号が送信されるようになっている（ステップＳ３１１）。
【０１５４】
例えば、店舗１０Ａの広告情報を携帯情報端末ＣＡにダウンロードした場合には、当該携帯情報端末ＣＡを所有するユーザが、その店舗１０Ａに訪れることにより、店舗１０Ａに設置されているブルートゥース送受信部１０５と携帯情報端末ＣＡのブルートゥース送受信部４５９とが自動的に認証作業を行ない、その認証結果に基いて、店舗１０側から広告提供者２０に対して到着告知信号が送信されるのである。なお、この到着告知信号は、携帯情報端末ＣＡ側から広告提供者設備ＳＰに対して行なっても良い（ステップＳ３１４）。
【０１５５】
次に、到着告知信号を受信した広告提供者２０は、当該告知信号中に重畳されている識別番号から、店舗情報を導き出し、当該店舗に対して、協力金の請求を発する（ステップＳ３１２）。店舗１０は、請求された請求金額に基き、協力金の支払いを行なう（ステップＳ３１３）。
【０１５６】
さらに、ユーザが、その店舗１０の商品を購入すると（ステップＳ３１５）、本実施形態においては、電子決済処理がなされる（ステップＳ３１６）。この電子決済処理は、例えば、携帯情報端末ＣＡに備えられたブルートゥース送受信部４５９と店舗に備えられた無線送受信部１０４が無線通信で接続され、店舗に備えられた電子決済部１０３により為されるものとする。
【０１５７】
電子決済処理が為されると、店舗１０から広告提供者２０に対して購入告知信号が送信される（ステップＳ３１７）。この購入告知信号は、予め店舗１０と広告提供者２０とが所定の取り決めを行ない、商品の購入に基く電子決済を行った際に、ユーザの携帯情報端末ＣＡから店舗１０に対して識別番号が送信されるようなプログラムを設定し、かつ店舗１０では、識別番号の受信に基き、広告提供者２０に対して、購入告知信号が送信されるようにプログラム設定が為されているのである。
【０１５８】
なお、携帯情報端末ＣＡ側から、広告提供者２０に対して、電子決済の際に購入告知信号が送信されるようにしても良い（ステップＳ３１８）。
【０１５９】
次に、購入告知信号を受信した広告提供者２０は、当該告知信号中に重畳されている識別番号から、店舗情報を導き出し、当該店舗に対して、協力金の請求を発する（ステップＳ３１９）。店舗１０は、請求された請求金額に基き、協力金の支払いを行なう（ステップＳ３２０）。
【０１６０】
以上説明したように、本発明に係る第３実施形態の変形例による広告情報提供システムＳ３は、広告情報端末ＳＰＤＢから広告情報を取得したユーザが、その店舗１０に訪れた際に、その店舗１０から広告提供者２０に対して協力金が支払われるようになっているので、広告提供者２０は多くの店舗を収録することによって莫大な協力金（ランニングコスト）を入手でき、その分、広告掲載料の値引きに廻すことが可能となる。また、店舗１０では、広告情報端末ＳＰＤＢから情報を取得し、そのユーザを入店に導き、購入まで至った場合に広告提供者２０に対して協力金を支払うため納得のいく仕組みであり、また、広告掲載料が安価になれば、さらなる広告依頼が可能となるのである。また、ユーザは、携帯情報端末ＣＡを利用することにより、その店舗の目的地設定が容易となるため、設定操作の煩わしさから開放されるのである。
【０１６１】
なお、上述した第３実施例の変形例にあっては、購入告知信号に基く協力金の支払いステップ（ステップＳ３１３〜ステップＳ３１８）が行われなくても良い。
すなわち、ユーザが携帯情報端末を所有して店舗に訪れた際にのみ、協力金が支払われるようにしても良い。
【０１６２】
以上説明のように第１実施形態乃至第３実施形態に係る本発明は、広告提供者２０が発行する店舗１０毎の広告情報を取得したユーザが、その店舗に訪れた際又はその店舗にて商品を購入した際に、その店舗から広告提供者に対して協力金を支払うことを特徴とするものである。広告情報を取得したユーザが、その店舗に訪れたことを検出する手段として、例えば、ナビゲーションのための現在位置認識機能、あるいは携帯情報端末の現在位置認識機能を用いでいるのである。また、ユーザが、その店舗にて商品を購入したことを検出する手段として電子決済機能を利用しているのである。
【０１６３】
なお、本発明実施形態において、店舗１０は端末、広告提供者２０はサーバ、ユーザ４０は携帯情報端末を含むナビゲーション端末を所有するものとして説明したが、そのことに制限されず、最低限、相当の処理性能を持つ端末装置を用いることによって実現可能である。また、広告提供者サーバ、店舗端末、ユーザ端末のそれぞれを接続する通信インフラについてはインターネット等のオープンネットワークが使用されるものとするが、この通信インフラについても特に制限はない。
【０１６４】
【発明の効果】
以上説明のように本発明は、広告提供者が発行する情報源を元にユーザがその情報先の店舗に訪れたときに、店舗側から広告提供者に協力金が支払われる仕組みにより、店舗サイドでは広告効果を知ることができ、また、広告提供者サイドでは事業運営のための原資を得ることができ、更にユーザはナビゲーション操作の煩わしさから開放される。
【０１６５】
また、店舗サイドからすれば、情報誌を見て、あるいは情報端末を閲覧することにより店舗に出向いてくれた人数に応じて広告提供者に協力金を支払うシステムとなるため、納得のいく仕組みとなる。また、広告提供者にすれば、多くの店舗を広告掲載することにより膨大なランニングコストを収入として得ることができ、この収入を広告掲載料に廻すことができるため、広告掲載料を比較的安価に設定することが可能となる。
【０１６６】
従って、今まで掲載料が高くて情報誌に掲載できなかった小規模店舗においても自分の店舗を手軽に広告掲載することが可能となる。更に、一般ユーザはナビゲーション操作の煩雑さから開放され、情報誌に掲載される識別番号がバーコード化され、携帯情報端末にバーコードリード機能を付加して自動読み取りさせる、あるいは、携帯情報端末にディジタルカメラを付属させて識別番号を画像認識することも考えられ、このことにより、より一層操作性の向上をはかれる。
【図面の簡単な説明】
【図１】  第１実施形態の広告情報提供システムの概要構成を示すブロック図である。
【図２】  第１実施形態の店舗設備の細部構成を示すブロック図である。
【図３】第１実施形態の広告提供者設備の細部構成を示すブロック図である。
【図４】第１実施形態の店舗と広告提供者との関係を示す図である。
【図５】第１実施形態の情報提供者が発行する情報提供誌の細部構成を示す図である。
【図６】第１実施形態の店舗毎に付記された識別番号を説明するために引用した図である。
【図７】第１実施形態のナビゲーション端末の細部構成を示すブロック図である。
【図８】第１実施形態の動作を説明するために引用したシーケンスチャートである。
【図９】第２実施形態の広告情報提供システムの概要構成を示すブロック図である。
【図１０】第２実施形態の広告提供者が管理する広告情報端末の細部構成を示すブロック図である。
【図１１】第２実施形態の通信事業者設備の細部構成を示すブロック図である。
【図１２】第２実施形態の携帯情報端末の細部構成を示すブロック図である。
【図１３】第２実施形態の動作を説明するために引用したシーケンスチャートである。
【図１４】  第２実施形態の変形例の動作を説明するために引用したシーケンスチャートである。
【図１５】第３実施形態の広告情報提供システムの概要構成を示すブロック図である。
【図１６】第３実施形態の動作を説明するために引用したシーケンスチャートである。
【図１７】  第３実施形態の変形例の動作を説明するために引用したシーケンスチャートである。
【符号の説明】
１０…店舗
ＳＴ…店舗設備
１０１…システム制御部
１０２…広告情報作成部
１０３…電子決済部
１０４…無線送受信部
１０５…ＢＴ送受信部
１０６…課金処理部
２０…広告提供者
ＳＰ…広告提供者設備
２０１…システム制御部
２０２…広告情報受付部
２０３…広告情報編集部
２０４…データベースＤＢ
２０５…無線送受信部
２０６…課金請求部
２１…情報提供誌
ＳＰＤＢ…広告情報端末
２５１…システム制御部
２５２…広告情報蓄積部
２５３…表示部
２５４…音声案内部
２５５…操作部
２５６…通信回線送受信部
２５７…ＢＴ送受信部
３０…車輌
ＮＡ…ナビゲーション端末
３０１…システム制御部
３０２…ＧＰＳ受信部
３０３…各種センサ部
３０４…ＶＩＣＳ受信部
３０５…地図情報記憶部
３０６…操作部
３０７…表示部
３０８…音声案内部
３０９…記憶装置部
３１０…通信回線送受信部
３１１…ＢＴ送受信部
４０…通信事業者
ＴＥ…通信事業者設備
４０１…基地局
４０２…交換網
４０３…情報サーバ
ＣＡ…携帯情報端末
４５１…システム制御部
４５２…送受信部
４５３…表示部
４５４…操作部
４５５…内部メモリ
４５６…スピーカ
４５７…マイク
４５８…ＧＰＳ受信部
４５９…ＢＴ送受信部
【図１】
0004174177.tif 000002
【図２】
0004174177.tif 000003
【図３】
0004174177.tif 000004
【図４】
0004174177.tif 000005
【図５】
0004174177.tif 000006
【図６】
0004174177.tif 000007
【図７】
0004174177.tif 000008
【図８】
0004174177.tif 000009
【図９】
0004174177.tif 000010
【図１０】
0004174177.tif 000011
【図１１】
0004174177.tif 000012
【図１２】
0004174177.tif 000013
【図１３】
0004174177.tif 000014
【図１４】
0004174177.tif 000015
【図１５】
0004174177.tif 000016
【図１６】
0004174177.tif 000017
【図１７】
0004174177.tif 000018